(57)【要約】【課題】太陽電池とＰＣＳとを接続する電力線と、蓄電池とに接続される蓄電池制御装置であって、設置作業が容易であると共に、どのようなＰＣＳとも組み合わせることが可能な蓄電池制御装置を提供する。【解決手段】蓄電池制御装置は、蓄電池の充放電電力を変化させ、充放電電力の変化前後の前記パワーコンディショナの入力電力の変化量に基づいてパワーコンディショナの電圧上昇抑制機能が働いているか否かを判定する判定機能を有し、判定機能によるパワーコンディショナの電圧上昇抑制機能が働いているか否かの判定結果を利用して蓄電池の充放電電力を制御する制御部を備える。【選択図】図１
2018125973.tif 000002
【特許請求の範囲】
【請求項１】
太陽電池と最大電力点追従制御機能及び電圧上昇抑制機能を有するパワーコンディショナとを接続する電力線と、蓄電池とに接続される蓄電池制御装置であって、
前記電力線を流れる電力で前記蓄電池を充電するための電圧変換と、前記蓄電池に蓄えられている電力を前記電力線を介して前記パワーコンディショナに供給するための電圧変換とが可能なＤＣ／ＤＣコンバータと、
前記ＤＣ／ＤＣコンバータを制御することで前記蓄電池の充放電電力を制御する制御部と、
を備え、
前記制御部は、
前記蓄電池の充放電電力を変化させ、充放電電力の変化前後の前記パワーコンディショナの入力電力の変化量が規定範囲内の量であるか否かにより前記パワーコンディショナの前記電圧上昇抑制機能が働いているか否かを判定する判定機能を有し、
前記判定機能による前記パワーコンディショナの前記電圧上昇抑制機能が働いているか否かの判定結果を利用して前記蓄電池の充放電電力を制御する
ことを特徴とする蓄電池制御装置。
【請求項２】
前記制御部は、前記判定機能による判定を周期的に行い、前記判定機能による判定結果が、否定的な判定結果から肯定的な判定結果に変化したときに、前記蓄電池への充電電力を増加させる
ことを特徴とする請求項１に記載の蓄電池制御装置。
【請求項３】
前記制御部は、前記蓄電池への充電電力の増加量を、前記判定結果の変化の前後における前記パワーコンディショナの入力電力の変化量に基づき、決定する
ことを特徴とする請求項２に記載の蓄電池制御装置。
【請求項４】
前記制御部は、
前記電力線の電圧の時間変化パターンに基づき、前記パワーコンディショナの電圧上昇抑制機能が働いているか否かを判定する第２判定機能を有し、
前記第２判定機能による前記パワーコンディショナの電圧上昇抑制機能が働いているか否かの判定結果も利用して前記蓄電池の充放電電力を制御する
ことを特徴とする請求項１から３のいずれか一項に記載の蓄電池制御装置。
【発明の詳細な説明】
【技術分野】
【０００１】
本発明は、蓄電池制御装置に関する。
【背景技術】
【０００２】
近年、太陽電池とパワーコンディショナ（以下、ＰＣＳとも表記する）とを組み合わせた太陽光発電システムを、系統（商用電力系統）及び負荷（電力使用機器群）に接続することが盛んに行われているが、蓄電機能があった方が、太陽電池の発電電力を有効に利用できる。
【０００３】
そのため、蓄電機能を有さない太陽光発電システム（ハイブリッドＰＣＳが使用されていない太陽光発電システム）に、蓄電機能を付与するための様々な技術（例えば、特許文献１）が提案されている。
【先行技術文献】
【特許文献】
【０００４】
【特許文献１】特開２０１３−１３８５３０号公報
【発明の概要】
【発明が解決しようとする課題】
【０００５】
蓄電機能を有さない太陽光発電システムに蓄電機能を付与するために、当該太陽光発電システムの太陽電池とＰＣＳとを接続する電力線に、蓄電池制御装置を介して蓄電池を接続することが考えられる。
【０００６】
そのような形で使用される蓄電池制御装置には、ＰＣＳによって電圧上昇抑制制御が開始された場合に蓄電池への充電電力を増やせることが望まれる。ＰＣＳから電圧上昇抑制に関する整定値を得るように、且つ、ＰＣＳの出力電圧が入力されるようにしておけば、ＰＣＳによって電圧上昇抑制制御が開始された場合に蓄電池への充電電力を増やせる蓄電池制御装置を実現できる。ただし、そのような構成を採用した場合、蓄電池制御装置の設置時に行わなければならない作業が増えることになるし、ＰＣＳが通信により設定値を読み出せない装置である場合もある。
【０００７】
そこで、本発明の課題は、太陽電池とＰＣＳとを接続する電力線と、蓄電池とに接続される蓄電池制御装置であって、設置作業が容易であると共に、どのようなＰＣＳとも組み合わせることが可能な蓄電池制御装置を提供することにある。
【課題を解決するための手段】
【０００８】
上記課題を解決するために、本発明の、太陽電池と最大電力点追従制御機能及び電圧上昇抑制機能を有するパワーコンディショナとを接続する電力線と、蓄電池とに接続される蓄電池制御装置は、前記電力線を流れる電力で前記蓄電池を充電するための電圧変換と、前記蓄電池に蓄えられている電力を前記電力線を介して前記パワーコンディショナに供給するための電圧変換とが可能なＤＣ／ＤＣコンバータと、前記ＤＣ／ＤＣコンバータを制御することで前記蓄電池の充放電電力を制御する制御部と、を備える。そして、本発明の蓄電池制御装置の制御部は、前記蓄電池の充放電電力を変化させ、充放電電力の変化前後の前記パワーコンディショナの入力電力の変化量が規定範囲内の量であるか否かにより前記パワーコンディショナの前記電圧上昇抑制機能が働いているか否かを判定する判定機能を有し、前記判定機能による前記パワーコンディショナの前記電圧上昇抑制機能が働いているか否かの判定結果を利用して前記蓄電池の充放電電力を制御する。
【０００９】
すなわち、本発明の蓄電池制御装置は、ＰＣＳからの情報やＰＣＳの出力電力を使用せずに、ＰＣＳの電圧上昇抑制機能が働いているか否かを判定する構成を有する。従って、本発明によれば、ＰＣＳからの情報やＰＣＳの出力電力を必要とする蓄電池制御装置よりも、設置作業が容易な蓄電池制御装置であって、どのようなＰＣＳとも組み合わせることが可能な蓄電池制御装置を実現できる。
【００１０】
本発明の電力変換装置に、前記判定機能による判定を周期的に行い、前記判定機能による判定結果が、否定的な判定結果から肯定的な判定結果に変化したときに、前記蓄電池への充電電力を増加させる制御部を採用しておいても良い。また、当該制御部に、前記蓄電池への充電電力の増加量を、前記判定結果の変化の前後における前記パワーコンディショナの入力電力の変化量に基づき、決定する機能を付与しておいても良い。
【００１１】
さらに、本発明の電力変換装置に、前記電力線の電圧の時間変化パターンに基づき、前記パワーコンディショナの電圧上昇抑制機能が働いているか否かを判定する第２判定機能を有し、前記第２判定機能による前記パワーコンディショナの電圧上昇抑制機能が働いているか否かの判定結果も利用して前記蓄電池の充放電電力を制御する制御部を採用しておいても良い。
【発明の効果】
【００１２】
本発明によれば、ＰＣＳからの情報やＰＣＳの出力電力を必要とする蓄電池制御装置よりも、設置作業が容易な蓄電池制御装置であって、どのようなＰＣＳとも組み合わせることが可能な蓄電池制御装置を実現できる。
【図面の簡単な説明】
【００１３】
【図１】図１は、本発明の第１実施形態に係る蓄電池制御装置の概略構成及び使用形態の説明図である。
【図２】図２は、第１実施形態に係る蓄電池制御装置の制御部のハードウェア構成図である。
【図３】図３は、第１実施形態に係る蓄電池制御装置の制御部が実行するＰＣＳ状態判定処理の流れ図である。
【図４】図４は、第１実施形態に係る蓄電池制御装置の制御部が実行する蓄電制御処理の流れ図である。
【図５】図５は、蓄電池の充電電力の好ましい増加量の説明図である。
【図６】図６は、第２実施形態に係る蓄電池制御装置の制御部が実行する第２ＰＣＳ状態判定処理の流れ図である。
【発明を実施するための形態】
【００１４】
以下、図面を参照して本発明の実施の形態について説明する。
【００１５】
《第１実施形態》
図１に、本発明の第１実施形態に係る蓄電池制御装置１０の概略構成及び使用形態を示す。
【００１６】
図示してあるように、本実施形態に係る蓄電池制御装置１０は、蓄電池２５と太陽光発電システム３０とに接続されて使用される装置である。蓄電池制御装置１０は、ＤＣ／ＤＣコンバータ１２、電圧センサ１４、電流センサ１６及び制御部２０を備える。
【００１７】
蓄電池制御装置１０が接続される太陽光発電システム３０は、太陽電池（ＰＶ）３１と、パワーコンディショナ（ＰＣＳ）３２との間をＤＣライン４０により接続した、負荷３
４及び系統３６に電力を供給するシステムである。ＰＣＳ３２は、山登り法によるＭＰＰＴ制御機能、電圧上昇抑制機能等を有する一般的なパワーコンディショナである。蓄電池制御装置１０は、このＰＣＳ３２にＰＶ３１の発電電力を伝送するためのＤＣライン４０と、蓄電池２５とに接続される。
【００１８】
蓄電池制御装置１０の設置時には、ＤＣライン４０に、ＰＶ３０の出力電流を測定するための電流センサ４２が取り付けられる。換言すれば、ＤＣライン４０の蓄電池制御装置１０の接続箇所よりもＰＶ３０側の部分に電流センサ４２が取り付けられる。そして、蓄電池制御装置１０は、当該電流センサ４２とも接続される。
【００１９】
蓄電池制御装置１０が備えるＤＣ／ＤＣコンバータ１２は、双方向の電圧変換が可能な直流電力変換装置である。電圧センサ１４、電流センサ１６は、それぞれ、ＤＣ／ＤＣコンバータ１２のＤＣライン４０側の入出力電圧、入出力電圧を測定するためのセンサである。蓄電池制御装置１０内には、電圧センサ１４、電流センサ１６以外の図示を省略したセンサ（ＤＣ／ＤＣコンバータ１２の蓄電池２５側の入出力電圧を測定するための電流センサ等）も設けられている。
【００２０】
制御部２０は、電流センサ４２及び蓄電池制御装置１０内の各種センサの出力に基づき、各種処理（詳細は後述）を行うユニットである。この制御部２０には、各種設定を行うための操作パネル（図示略）が電気的に接続されている。蓄電池制御装置１０の設置時（運用開始前）には、この操作パネルを操作することにより、ＰＣＳ３２の型式名が蓄電池制御装置１０（制御部２０）に設定される。
【００２１】
なお、本実施形態に係る蓄電池制御装置１０の制御部２０は、図２に示した構成を有するユニット、すなわち、ＣＰＵとＲＯＭとＲＡＭと各種センサ用のインタフェース回路とＰＷＭ信号を生成するＰＷＭ制御回路を組み合わせたユニットである。ただし、制御部２０は、他のハードウェア構成を有するユニット、例えば、マイクロコントローラとその周辺回路からなるユニット、であっても良い。
【００２２】
以下、蓄電池制御装置１０の構成、動作をさらに具体的に説明する。
【００２３】
蓄電池制御装置１０の制御部２０は、充電電力制御処理、放電電力制御処理、ＰＣＳ状態判定処理等を行えるように、構成（プログラミング）されている。
【００２４】
放電電力制御処理は、蓄電池２５からＤＣライン４０（ＰＣＳ３２）に電力が供給されるようにＤＣ／ＤＣコンバータ１２を制御する処理である。充電電力制御処理は、ＰＶ３１の発電電力の一部で蓄電池２５を充電されるようにＤＣ／ＤＣコンバータ１２を制御する処理（詳細は後述）である。制御部２０は、各電力制御処理を、各電力制御処理の実行条件が満たされている場合に、実行する。
【００２５】
ＰＣＳ状態判定処理は、ＰＣＳ３２の状態が、電圧上昇抑制機能が働いていない通常状態であるか、電圧上昇抑制機能が働いている電圧上昇抑制状態であるかを判定するための、図３に示した手順の処理である。
【００２６】
制御部２０は、このＰＣＳ状態判定処理を、充電電力制御処理の実行中に、周期的に実行する。そして、ＰＣＳ状態判定処理を開始した制御部２０は、図示してあるように、まず、ＰＣＳ３２の入力電力を測定（算出）する（ステップＳ１０１）。具体的には、制御部２０は、電流センサ４２により測定されるＰＶ３１の出力電流と電流センサ１６により測定される蓄電池制御装置１０への入力電流と、電圧センサ４２により測定されるＰＣＳ３２（及びＤＣ／ＤＣコンバータ１２）の入力電圧とから、ＰＣＳ３２の入力電力を測定
（算出）する。
【００２７】
次いで、制御部２０は、ＤＣ／ＤＣコンバータの制御内容を変更することにより、蓄電池２５の充放電電力を、規定電力（詳細は後述）分、変化させる（ステップＳ１０２）。ここで、蓄電池２５の充放電電力とは、正である場合には、蓄電池２５の放電電力を表し、負である場合には、蓄電池２５の充電電力を表す値のことである。このステップＳ１０２の処理は、充放電電力の変化量（＝｜変化前の充放電電力−変化後の充放電電力｜）が規定電力となる処理あれば、蓄電池２５へ充電される電力を増やす処理であっても、蓄電池２５へ充電される電力を減らす処理あっても、蓄電池２５に放電を開始させる処理であっても良い。
【００２８】
ステップＳ１０２の処理を終えた制御部２０は、規定時間の経過を待機する（ステップＳ１０３）。規定時間は、蓄電池２５の充放電電力が変化してから、電圧上昇抑制機能による電圧上昇抑制又はＭＰＰＴ制御機能による最大電力点への追従動作が完了するまでに要する時間として、予め定められている時間である。
【００２９】
制御部２０は、規定時間が経過した場合には、再度、ＰＣＳ３２の入力電力を測定（算出）する（ステップＳ１０４）。制御部２０は、このステップＳ１０４にて、蓄電池２５の充放電電力を、ステップＳ１０２の処理の実行前の値に戻す処理も行う。
【００３０】
ステップＳ１０４の処理を終えた制御部２０は、測定（算出）された２つの入力電力の差が、入力電力の測定誤差等に基づき定められた、０を中心とした範囲である規定範囲内の値となっているか否かを判断する（ステップＳ１０５）。
【００３１】
そして、制御部２０は、入力電力の差が規定範囲内の値となっていた場合（ステップＳ１０５；ＹＥＳ）には、ＰＣＳ状態が電圧上昇抑制状態であることを記憶（ステップＳ１０６）してから、このＰＣＳ状態判定処理を終了する。また、制御部２０は、入力電力の差が規定範囲内の値となっていなかった場合（ステップＳ１０５；ＮＯ）には、ＰＣＳ状態が通常状態であることを記憶（ステップＳ１０７）してから、このＰＣＳ状態判定処理を終了する。
【００３２】
以下、ＰＣＳ状態判定処理についてさらに具体的に説明する。
ＰＣＳ３２の電圧上昇抑制機能が働いている場合、ＰＣＳ３２の入力電力が一定値に制御される。ＰＣＳ状態判定処理の上記処理手順は、ＰＣＳ３２の入力電力が一定値に制御されているか否かを判定できるように想到されたものである。
【００３３】
具体的には、ＰＣＳ３２の電圧上昇抑制機能が働いていても働いていなくても、蓄電池２５の充放電電力を変化させた直後には、ＰＣＳ３２の入力電力が、充放電電力の変化量と同量だけ変化（減少又は増加）する。
【００３４】
そして、ＰＣＳ３２の電圧上昇抑制機能が働いている場合には、電圧上昇抑制機能によりＰＣＳ３２の入力電力が一定値に制御される。そのため、蓄電池２５の充放電電力を変化させてから、或る程度の時間（“規定時間”程度の時間）が経過すると、ＰＣＳ３２の入力電力が、充放電電力の変更前の値に戻る。
【００３５】
一方、ＰＣＳ３２の電圧上昇抑制機能が働いていない場合には、ＰＣＳ３２のＭＰＰＴ制御機能が働いている。蓄電池２５の充放電電力を変化させても、ＰＶ３１から最大電力を取り出せる電圧の値は変わらない。そのため、ＰＣＳ３２の電圧上昇抑制機能が働いていない状況下で蓄電池２５の充放電電力を変化させた場合には、ＰＣＳ３２の入力電力は、充放電電力の変更前の値に戻らずに、充放電電力の変化量と同量だけ変化した値を取り
続ける。
【００３６】
従って、基本的には、蓄電池２５の充放電電力を変化させたときのＰＣＳ３２の入力電圧の変化量から、ＰＣＳ３２の電圧上昇抑制機能が働いているか否かを判定することができる。ただし、ＭＰＰＴ制御が行われている場合、ＰＣＳ３２の入力電力が変動する。そのため、蓄電池２５の充放電電力の変化量がＰＣＳ３２の入力電力の変動量よりも少ないと、充放電電力の変化によるＰＣＳ３２の入力電力の変化を検出できない虞がある。
【００３７】
上記した“規定電力”は、充放電電力を変化させたときのＰＣＳ３２の入力電力の変化量を、ＰＣＳ３２の入力電力の変動量よりも十分に大きな量とするための値（処理パラメータ）である。
【００３８】
この規定電力の適正値は、ＰＣＳ３２（ＰＣＳ３２が行うＭＰＰＴ制御の内容）によって異なる。適正な規定電力を用いてＰＣＳ状態判定処理を行えるようにするために、制御部２０の不揮発性メモリ上には、複数の型式名のそれぞれについて、その型式名を有するＰＣＳ３２に対して使用すべき規定電力が予め記憶されている。そして、制御部２０は、操作パネルの操作により設定されたＰＣＳ３２の型式名に対応づけられている規定電力を用いて、上記ＰＣＳ状態判定処理を行うように構成されている。
【００３９】
以下、制御部２０が実行する充電電力制御処理について説明する。
図４に、充電電力制御処理の流れ図を示す。
【００４０】
既に説明したように、充電電力制御処理は、充電電力制御処理の実行条件が満たされている場合に制御部２０が実行する処理である。
【００４１】
充電電力制御処理の実行条件が満たされたため、この充電電力制御処理を開始した制御部２０は、まず、現在の状況に応じた大きさの電力が蓄電池２５に充電されるようにＤＣ／ＤＣコンバータ１２を制御する処理である充電制御を開始する（ステップＳ２０１）。制御部２０が実行する充電制御は、ＰＶ３１の発電電力を“現在の状況”とした処理である。ただし、“現在の状況”は、他の情報（例えば、ＰＶ３１の発電電力と現在時刻）であっても良い。
【００４２】
ステップＳ２０１の処理を終えた制御部２０は、ステップＳ２０２及びＳ２０３を繰り返している状態、すなわち、充電電力を現在の状況に応じた大きさの電力に調整（変更）しながら、電圧上昇抑制制御が開始されるのを監視している状態となる。
【００４３】
制御部２０は、充電電力制御処理の実行中に周期的に実行されているＰＣＳ状態判定処理の判定結果に基づき、ステップＳ２０３の判断を行う。具体的には、制御部２０は、ステップＳ２０３にて、周期的に実行されているＰＣＳ状態判定処理によるＰＣＳ状態の判定結果が、通常状態から電圧上昇抑制状態に変化したか否かを判断する。そして、制御部２０は、ＰＣＳ状態の判定結果が、通常状態から電圧上昇抑制状態に変化していた場合に、電圧上昇抑制制御が開始されたと判定する。
【００４４】
電圧上昇抑制制御が開始されたと判定した場合（ステップＳ２０３；ＹＥＳ）、制御部２０は、充電電力をその時点の電力よりも増加させる（ステップＳ２０４）。このステップＳ２０４の処理における充電電力の増加量は、“電圧上昇抑制制御が開始される前のＰＣＳ３２の入力電力−電圧上昇抑制制御が開始された後のＰＣＳ３２の入力電力”程度の量であることが好ましい。何故ならば、電圧上昇抑制制御が開始されると、図５に模式的に示したように、ＰＣＳ３２への入力電力は、Ｗ１からＷ２まで低下する。すなわち、最大電力がＷ１であるにも拘わらず、ＰＶ３１からＷ２（＜Ｗ１）の電力しか取り出されな
いことになる。一方、ΔＷ（＝Ｗ２−Ｗ１）分の電力を蓄電池２５に充電すれば、ＰＣＳ３２への入力電力がＷ２となる状態でＰＶ３１から最大電力Ｗ１を取り出せるので、ＰＶ３１の発電能力を有効に利用できる。そのため、充電電力の増加量が、“電圧上昇抑制制御が開始される前のＰＣＳ３２の入力電力−電圧上昇抑制制御が開始された後のＰＣＳ３２の入力電力”程度の量であることが好ましいのである。
【００４５】
なお、電圧上昇抑制制御が開始された後のＰＣＳ３２の入力電力としては、直前に実行されたＰＣＳ状態判定処理（以下、最新判定処理と表記する）のステップＳ１０１又はＳ１０４の処理で求められた入力電力を採用することが出来る。また、電圧上昇抑制制御が開始される前のＰＣＳ３２の入力電力としては、最新判定処理の前に実行されたＰＣＳ状態判定処理のステップＳ１０１又はＳ１０４の処理で求められた入力電力を採用することが出来る。
【００４６】
ステップＳ２０４の処理を終えた制御部２０は、ステップＳ２０５及びＳ２０６の処理を繰り返すことにより、以下のイベントのいずれかが発生するのを監視（待機）する。
・蓄電池２５が満充電となる。
・充電制御処理の終了条件が満たされる（充電電力制御処理の実行条件が満たされなくなる）。
・ＰＣＳ３２の電圧上昇抑制制御が終了する。
【００４７】
なお、制御部２０は、周期的に実行されているＰＣＳ状態判定処理によるＰＣＳ状態の判定結果が、電圧上昇抑制状態から通常状態に変化したときに、ＰＣＳ３２の電圧上昇抑制制御が終了したと判定する。
【００４８】
蓄電池２５が満充電となるか、充電制御処理の終了条件が満たされた場合（ステップＳ２０５；ＹＥＳ）、制御部２０は、充電制御を終了する。そして、制御部２０は、放電制御処理の実行条件（場合によっては、充電制御処理の実行条件）が満たされるのを待機する。
【００４９】
ＰＣＳ３２の電圧上昇抑制制御が終了したと判定した場合（ステップＳ２０６；ＮＯ）、制御部２０は、蓄電池２５の充電電力を、通常の電力（現在の状況に応じた大きさの電力）に戻す処理（ステップＳ２０７）を行ってから、ステップＳ２０２以降の処理を再び開始する。
【００５０】
以上、説明したように、本実施形態に係る蓄電池制御装置１０は、ＰＣＳ３２からの情報やＰＣＳ３２の出力電力を必要としない処理で、ＰＣＳの電圧上昇抑制機能が働いているか否かを判定する。従って、蓄電池制御装置１０は、ＰＣＳからの情報やＰＣＳの出力電力を必要とする蓄電池制御装置よりも、設置作業が容易なものとなる。また、蓄電池制御装置１０によれば、どのようなＰＣＳが用いられている太陽光発電システムにも、良好な蓄電機能（ＰＣＳの電圧上昇抑制機能が働いているか否かが考慮されて充電電力が決定される蓄電機能）をＰＣＳの電圧上昇抑制機能が働いているか否かが考慮される蓄電機能を付与することが出来る。さらに、蓄電池制御装置１０によれば、電圧が殆ど変化しないＭＰＰＴ制御（スキャン法によるＭＰＰＴ制御等）を行うＰＣＳの電圧上昇抑制機能が働いているか否かも判定できる。従って、蓄電池制御装置１０によれば、そのようなＰＣＳが用いられている太陽光発電システムにも、良好な蓄電機能を付与することが出来る。
【００５１】
《第２実施形態》
以下、第１実施形態の蓄電池制御装置１０の説明時に用いたものと同じ符号を用いて、第２実施形態に係る蓄電池制御装置１０の構成、動作を、第１実施形態の蓄電池制御装置１０と異なる部分を中心に説明する。なお、以下では、第ｎ（ｎ＝１、２）実施形態に係
る蓄電池制御装置１０の制御部２０のことを、第ｎ制御部２０と表記する。
【００５２】
第２実施形態に係る蓄電池制御装置１０は、第１実施形態に係る蓄電池制御装置１０と同構成の装置である。ただし、第２制御部２０の不揮発性メモリ上には、複数の型式名のそれぞれについて、その型式名を有するＰＣＳ３２に対して使用すべき規定電力と、その型式名を有するＰＣＳ３２が行うＭＰＰＴ制御の各電圧変化の変化速度、持続時間を示す電圧変化パターン情報が記憶されている。また、第２制御部２０は、放電電力を増加させている間は、上記したＰＣＳ状態判定処理（図３）とは異なる第２ＰＣＳ状態判定処理を行うように構成されている。
【００５３】
第２ＰＣＳ状態判定処理は、図６に示した手順の処理である。
【００５４】
すなわち、この第２ＰＣＳ状態判定処理を開始した制御部２０は、まず、変化速度・持続時間特定処理（ステップＳ３０１）を行う。変化速度・持続時間特定処理は、ＤＣライン４０の電圧を監視し、ほぼ一定速度で電圧が上昇又は下降した場合に、その電圧変化の変化速度と持続時間を特定して終了する処理である。
【００５５】
変化速度・持続時間特定処理を終えた制御部２０は、今回、変化速度及び持続時間を特定した電圧変化が、ＰＣＳ３２のＭＰＰＴ制御によるものであるか否かを判断する（ステップＳ３０２）。制御部２０は、操作パネルの操作により設定されたＰＣＳ３２の型式名に対応づけられた形で制御部２０内の不揮発性メモリ上に記憶されている電圧変化パターン情報を用いて、このステップの判断を行う。ここで、ＰＣＳ３２の型式名に対応づけられた形で制御部２０内の不揮発性メモリ上に記憶されている電圧変化パターン情報とは、そのＰＣＳ３２のＭＰＰＴ制御によって生じ得るＤＣライン４０の各電圧変化（電圧の上昇又は下降）の変化速度と持続時間とを示す情報のことである。
【００５６】
そして、制御部２０は、今回の電圧変化が、ＰＣＳ３２のＭＰＰＴ制御によるものであると判断した場合（ステップＳ３０２；ＹＥＳ）には、ＰＣＳ状態が通常状態であることを記憶（ステップＳ３０３）してから、この第２ＰＣＳ状態判定処理を終了する。また、制御部２０は、今回の電圧変化が、ＰＣＳ３２のＭＰＰＴ制御によるものではないと判断した場合（ステップＳ３０２；ＮＯ）には、ＰＣＳ状態が電圧上昇抑制状態であることを記憶（ステップＳ３０４）してから、この第２ＰＣＳ状態判定処理を終了する。
【００５７】
すなわち、電圧上昇抑制制御が開始されると、ＭＰＰＴ制御が行われる場合とは異なるパターンでＤＣライン４０の電圧が変化する。そして、電圧上昇抑制制御が終了すると、ＭＰＰＴ制御が開始されるので、上記手順の処理でも、電圧上昇抑制制御が行われているか否かを判定できる。
【００５８】
そして、上記処理も、ＰＣＳ３２からの情報やＰＣＳ３２の出力電力を必要としないものである。従って、本実施形態に係る蓄電池制御装置１０も、ＰＣＳからの情報やＰＣＳの出力電力を必要とする蓄電池制御装置よりも、設置作業が容易なものとなる。また、本実施形態に係る蓄電池制御装置１０も、どのようなＰＣＳが用いられている太陽光発電システムにも、良好な蓄電機能（ＰＣＳの電圧上昇抑制機能が働いているか否かが考慮されて充電電力が決定される蓄電機能）を付与することが出来る装置として機能する。
【００５９】
《変形形態》
上記した各実施形態の蓄電池制御装置１０は、様々な変形が可能なものである。例えば、ＰＣＳ状態の判定精度を向上させるために、第１（又は第２）実施形態に係る蓄電池制御装置１０を、ＰＣＳ状態判定処理（図３）と第２ＰＣＳ状態判定処理（図６）とを順次行い、両判定処理の判定結果が一致していない場合には、ＰＣＳ状態が変わっていないと
判定する装置に変形しても良い。
【符号の説明】
【００６０】
１０  蓄電池制御装置
１２  ＤＣ／ＤＣコンバータ
１４  電圧センサ
１６、４２  電流センサ
２０  制御部
２５  蓄電池
３０  太陽光発電システム
３１  太陽電池
３２  パワーコンディショナ
３４  負荷
３６  系統
４０  ＤＣライン
【図１】
2018125973.tif 000003
【図２】
2018125973.tif 000004
【図３】
2018125973.tif 000005
【図４】
2018125973.tif 000006
【図５】
2018125973.tif 000007
【図６】
2018125973.tif 000008